(57)【特許請求の範囲】
【請求項１】
テレビジョン信号を増幅すると共に、前記テレビジョン信号のレベルに対応したＡＧＣ電圧によって利得が変化する可変利得増幅器と、前記可変利得増幅器によって増幅された前記テレビジョン信号を中間周波数帯の信号に変換する混合器と、前記中間周波数帯の信号を通過すると共に、同調周波数が切り替えられる中間周波出力同調回路とを備え、
前記中間周波出力同調回路は前記中間周波数帯の信号が入力されるバラクタダイオードと前記バラクタダイオードの他端と出力端との間に接続されたインダクタンス素子と前記出力端とグランドとの間に接続されたコンデンサとからなる直列同調回路で構成され、前記直列同調回路を前記バラクタダイオードのオン時に前記中間周波数帯の帯域内に同調させ、オフ時に前記中間周波数帯の帯域外に同調させたことを特徴とするテレビジョンチューナ。
【請求項２】
前記バラクタダイオードのアノードにバイアス電圧を印加し、エミッタが接地されると共にコレクタが抵抗を介して前記バイアス電圧よりも高い電圧を有する電源に接続されたスイッチトランジスタを設け、前記スイッチトランジスタのコレクタを前記バラクタダイオードのカソードに接続し、前記スイッチトランジスタを前記テレビジョン信号が前記所定レベル以下のときにオンさせ、前記所定レベル以上のときにオフさせたことを特徴とする請求項１に記載のテレビジョンチューナ。
【請求項３】
前記ＡＧＣ電圧を前記テレビジョン信号のレベルの増減方向とは逆方向に変化させ、前記ＡＧＣ電圧が入力される分圧回路を設けると共に、前記分圧回路から出力される分圧電圧を前記スイッチトランジスタのベースに入力し、前記分圧電圧を前記テレビジョン信号の前記所定レベルに対応する所定のＡＧＣ電圧のときに前記スイッチトランジスタをオンさせる電圧に設定したことを特徴とする請求項２に記載のテレビジョンチューナ。
【請求項４】
エミッタフォロワトランジスタを有する中間周波増幅器を前記中間周波出力同調回路の前段に設け、前記エミッタフォロワトランジスタのエミッタを前記バラクタダイオードのアノードに接続し、前記スイッチトランジスタのコレクタと前記エミッタフォロワトランジスタのコレクタとを共通の電圧源に接続したことを特徴とする請求項２又は３に記載のテレビジョンチューナ。
【発明の詳細な説明】
【０００１】
【発明の属する技術分野】
本発明は、ＡＧＣ電圧による全体の利得変化範囲を広くすと共にテレビジョン信号の電界強度が弱いときの利得を高めるようにしたテレビジョンチューナに関する。
【０００２】
【従来の技術】
図３は従来のテレビジョンチューナの概略構成を示す回路図である。入力端２１に入力されたテレビジョン信号（ＴＶ信号）は途中に設けられた同調回路（図示せず）によって選択された後高周波増幅器である可変利得増幅器２２で増幅される。一方、図示しないテレビジョン受信機本体部に設けられたＡＧＣ電圧発生回路から出力されたＡＧＣ電圧はＡＧＣ端子２３を介して可変利得増幅器２２に入力される。ＡＧＣ電圧の大きさはテレビジョン信号のレベルに対応しており、可変利得増幅器２２の利得はＡＧＣ電圧によって制御される。
【０００３】
可変利得増幅器２２によって増幅されたテレビジョン信号は混合器２４に入力されて中間周波数帯の信号に周波数変換される。中間周波数帯の信号は中間周波同調回路２５を通過した後中間周波増幅器２６によって増幅され、さらに中間周波出力同調回路２７に入力される。
【０００４】
中間周波出力同調回路２７は中間周波増幅器２６と出力端２８との間に直列に介挿された第一のコンデンサ２７ａ及びインダクタンス素子２７ｂと、インダクタンス素子２７ｂと出力端２８との接続点とグランドとの間に接続された第二のコンデンサ２７ｃとからなる直列同調回路で構成される。そして、この直列同調回路の同調周波数は、入力される信号レベルに対する出力レベルの大きさを適正にする目的で（例えば、入力レベルが６０ｄＢμＶのときに出力レベルが９７ｄＢμＶとなるように）中間周波数帯の帯域外となるように設定されている。
【０００５】
以上の構成において、ＡＧＣ電圧はテレビジョン信号のレベルが極めて低いとき、例えば、４０ｄＢμＶ（マイクロボルト）のときにはほぼ５ボルトとなり、可変利得増幅器２２は最大利得の状態で動作する。一方、テレビジョン信号のレベルが大きくなるに従ってＡＧＣ電圧はほぼ０．５ボルトまで低下し、このときの可変利得増幅器２２は最小利得（実際はマイナスの利得）の状態で動作する。そして、可変利得増幅器２２の利得変化がそのまま入力端２１から出力端２８までの全体の利得変化となり、その利得変化特性は、図４に示すように、ＡＧＣ電圧が５ボルトのときにはほぼ３７ｄＢとなり、０．５ボルトではほぼマイナス１６ｄＢとなる。
従って、ＡＧＣ電圧による利得可変範囲はほぼ５３ｄＢとなる。
【０００６】
【発明が解決しようとする課題】
しかし、従来のテレビジョンチューナでは利得可変範囲が不足し、テレビジョン信号のレベルが大きくなったときの歪みが問題となり、さらに、テレビジョン信号のレベルが低いときの利得が小さいので、感度不足になるという問題があった。
【０００７】
そこで、本発明のテレビジョンチューナでは、テレビジョン信号のレベルが低いときの全体の利得を大きくすると共に、利得可変範囲を広くすることを目的とする。
【０００８】
【課題を解決するための手段】
上記課題を解決するため、本発明のテレビジョンチューナは、テレビジョン信号を増幅すると共に、前記テレビジョン信号のレベルに対応したＡＧＣ電圧によって利得が変化する可変利得増幅器と、前記可変利得増幅器によって増幅された前記テレビジョン信号を中間周波数帯の信号に変換する混合器と、前記中間周波数帯の信号を通過すると共に、同調周波数が切り替えられる中間周波出力同調回路とを備え、
前記中間周波出力同調回路は前記中間周波数帯の信号が入力されるバラクタダイオードと前記バラクタダイオードの他端と出力端との間に接続されたインダクタンス素子と前記出力端とグランドとの間に接続されたコンデンサとからなる直列同調回路で構成され、前記直列同調回路を前記バラクタダイオードのオン時に前記中間周波数帯の帯域内に同調させ、オフ時に前記中間周波数帯の帯域外に同調させた。
【０００９】
また、前記中間周波出力同調回路は前記中間周波数帯の信号が入力されるバラクタダイオードと前記バラクタダイオードの他端と出力端との間に接続されたインダクタンス素子と前記出力端とグランドとの間に接続されたコンデンサとからなる直列同調回路で構成され、前記直列同調回路を前記バラクタダイオードのオン時に前記中間周波数帯の帯域内に同調させ、オフ時に前記中間周波数帯の帯域外に同調させた。
【００１０】
また、前記バラクタダイオードのアノードにバイアス電圧を印加し、エミッタが接地されると共にコレクタが抵抗を介して前記バイアス電圧よりも高い電圧を有する電源に接続されたスイッチトランジスタを設け、前記スイッチトランジスタのコレクタを前記バラクタダイオードのカソードに接続し、前記スイッチトランジスタを前記テレビジョン信号が前記所定レベル以下のときにオンさせ、前記所定レベル以上のときにオフさせた。
【００１１】
また、前記ＡＧＣ電圧を前記テレビジョン信号のレベルの増減方向とは逆方向に変化させ、前記ＡＧＣ電圧が入力される分圧回路を設けると共に、前記分圧回路から出力される分圧電圧を前記スイッチトランジスタのベースに入力し、前記分圧電圧を前記テレビジョン信号の前記所定レベルに対応する所定のＡＧＣ電圧のときに前記スイッチトランジスタをオンさせる電圧に設定した。
【００１２】
また、エミッタフォロワトランジスタを有する中間周波増幅器を前記中間周波出力同調回路の前段に設け、前記エミッタフォロワトランジスタのエミッタを前記バラクタダイオードのアノードに接続し、前記スイッチトランジスタのコレクタと前記エミッタフォロワトランジスタのコレクタとを共通の電圧源に接続した。
【００１３】
【発明の実施の形態】
以下、図１に従って本発明のテレビジョンチューナを説明する。入力端１に入力されたテレビジョン信号（ＴＶ信号）は途中に設けられた同調回路（図示せず）によって受信するテレビジョン信号が選択され、高周波増幅器である可変利得増幅器２に入力される。可変利得増幅器２はデュアルゲートＦＥＴ（図示せず）を使用するので、テレビジョン信号はその第一ゲートに入力される。一方、ＡＧＣ端子３には図示しないテレビジョン受信機本体部に設けられたＡＧＣ電圧発生回路から出力されたＡＧＣ電圧はが供給される。このＡＧＣ電圧はＦＥＴの第二ゲートに入力される。ＡＧＣ電圧の大きさは受信するテレビジョン信号のレベルに対応しており、可変利得増幅器２の利得はＡＧＣ電圧によって制御される。
【００１４】
可変利得増幅器２によって増幅されたテレビジョン信号は混合器４に入力されて中間周波数帯の信号に周波数変換される。中間周波数帯の信号は中間周波同調回路５を通過した後中間周波増幅器６によって増幅され、さらに中間周波出力同調回路７に入力される。
【００１５】
中間周波増幅器６はエミッタ接地型の初段の増幅トランジスタ６ａとエミッタフォロワ型の次段の増幅トランジスタ６ｂとを有し、各トランジスタのコレクタが電圧源に接続される。
【００１６】
中間周波出力同調回路７は増幅トランジスタ６ｂのエミッタと出力端８との間に直列に介挿されたバラクタダイオード７ａ及びインダクタンス素子７ｂと、インダクタンス素子７ｂと出力端８との接続点とグランドとの間に接続されたコンデンサ７ｃとからなる直列同調回路で構成される。バラクタダイオード７ａのアノードはトランジスタ６ｂのエミッタに接続されてバイアス電圧が加わる。そして、この直列同調回路の同調周波数はバラクタダイオードがオンしたときに中間周波数帯の帯域内となるように設定されている。
【００１７】
一方、ＡＧＣ電圧は直列接続された抵抗９ａ、９ｂを有する分圧回路９に入力される。分圧回路９は抵抗９ａと９ｂとの接続点から分圧電圧を出力し、この接続点がスイッチトランジスタ１０のベースに接続される。スイッチトランジスタ１０のコレクタには電圧降下用の抵抗１１を介して電圧源に接続され、エミッタは接地される。そして、スイッチトランジスタ１０のコレクタが抵抗１２を介してバラクタダイオード７ａのカソードに接続される。
【００１８】
一方、ＡＧＣ電圧はテレビジョン信号のレベルが極めて低いとき、例えば、４０ｄＢμＶ（マイクロボルト）程度のときにはほぼ５ボルトの最大電圧となり、テレビジョン信号のレベルが大きくなるに従ってほぼ０．５ボルトの最小電圧まで低下する。そして、分圧回路９の抵抗９ａ、９ｂの値は、テレビジョン信号のレベルが或る所定レベル以下となったときのＡＧＣ電圧（例えば４ボルト）によってスイッチトランジスタ１０がオンするように設定される。
【００１９】
以上の構成において、可変利得増幅器２は、ＡＧＣ電圧が最大のときに最大利得となり、ＡＧＣ電圧が最小のときに最小利得となる。
一方、スイッチトランジスタ１０は、ＡＧＣ電圧がテレビジョン信号の所定レベルに対応する所定の値（ここではほぼ４ボルト）以上となったときにオンする。すると、バラクタダイオード７ａもオンする。この結果、中間周波出力同調回路７は中間周波数帯の帯域内に同調する。
また、ＡＧＣ電圧が４ボルト以下ではスイッチトランジスタ１０はオフとなる。すると、そのコレクタ電圧はエミッタフォロワトランジスタ６ｂのエミッタ電圧よりも高くなるので、バラクタダイオード７ａはオフとなり、中間周波出力同調回路７は中間周波数帯の帯域外に同調する。
【００２０】
従って、ＡＧＣ電圧がほぼ４ボルト以上となれば中間周波出力同調回路７を通過する中間周波信号の損失が少なくなり、可変利得増幅器２の利得も最大となることから全体の利得が増大する。そして、図２に示すように、ＡＧＣ電圧が４ボルト以上では中間周波出力同調回路７の損失低下によって利得が増大し（図２のＡ部分）、入力端１から出力端８までの全体の利得変化特性は、ほぼ４８ｄＢとなる。また、ＡＧＣ電圧が０．５ボルトではほぼマイナス１６ｄＢとなる。
従って、ＡＧＣ電圧による利得可変範囲はほぼ６４ｄＢと広くなる。
【００２１】
【発明の効果】
以上のように、本発明のテレビジョンチューナは、テレビジョン信号のレベルに対応したＡＧＣ電圧によって利得が変化する可変利得増幅器と、可変利得増幅器によって増幅されたテレビジョン信号を中間周波数帯の信号に変換する混合器と、中間周波数帯の信号を通過する中間周波出力同調回路とを備え、テレビジョン信号が所定レベル以上では中間周波同調回路を中間周波数帯の帯域外に同調させ、所定レベル以下では中間周波数帯の帯域内に同調させたので、テレビジョン信号が所定レベル以下では全体の利得が増大し、利得範囲も広くなる。
【００２２】
また、中間周波出力同調回路は中間周波数帯の信号が入力されるバラクタダイオードとバラクタダイオードの他端と出力端との間に接続されたインダクタンス素子と出力端とグランドとの間に接続されたコンデンサとからなる同調回路で構成され、直列同調回路をバラクタダイオードのオン時に中間周波数帯の帯域内に同調させ、オフ時に中間周波数帯の帯域外に同調させたので、バラクタダイオードのオン又はオフのみによって同調周波数を簡単に切り替えることができる。
【００２３】
また、バラクタダイオードのアノードにバイアス電圧を印加し、エミッタが接地されると共にコレクタが抵抗を介してバイアス電圧よりも高い電圧を有する電源に接続されたスイッチトランジスタを設け、スイッチトランジスタのコレクタをバラクタダイオードのカソードに接続し、スイッチトランジスタをテレビジョン信号が所定レベル以下のときにオンさせ、所定レベル以上のときにオフさせたので、バラクタダイオードのオン又はオフの切替が簡単になる。
【００２４】
また、ＡＧＣ電圧をテレビジョン信号のレベルの増減方向とは逆方向に変化し、ＡＧＣ電圧が入力される分圧回路を設けると共に、分圧回路から出力される分圧電圧をスイッチトランジスタのベースに入力し、分圧電圧をテレビジョン信号の所定レベルに対応する所定のＡＧＣ電圧のときにスイッチトランジスタをオンさせる電圧に設定したので、トランジスタはＡＧＣ電圧によって自動的にオン又はオフとなる。
【００２５】
また、エミッタフォロワトランジスタを有する中間周波増幅器を中間周波出力同調回路の前段に設け、エミッタフォロワトランジスタのエミッタをバラクタダイオードのアノードに接続し、スイッチトランジスタのコレクタとエミッタフォロワトランジスタのコレクタとを共通の電圧源に接続したので、バラクタダイオードはスイッチトランジスタの動作に連動して自動的にオン又はオフとなる。
【図面の簡単な説明】
【図１】本発明のテレビジョンチューナの構成を示す回路図である。
【図２】本発明のテレビジョンチューナの利得変化特性図である。
【図３】従来のテレビジョンチューナの構成を示す回路図である。
【図４】従来のテレビジョンチューナの利得変化特性図である。
【符号の説明】
１  入力端
２  可変利得増幅器
３  ＡＧＣ端子
４  混合器
５  中間周波同調回路
６  中間周波増幅器
６ａ、６ｂ  増幅トランジスタ
７  中間周波出力同調回路
７ａ  バラクタダイオード
７ｂ  インダクタンス素子
７ｃ  コンデンサ
８  出力端
９  分圧回路
９ａ、９ｂ  抵抗
１０  スイッチトランジスタ
１１、１２  抵抗
【図１】
0003745949.tif 000002
【図２】
0003745949.tif 000003
【図３】
0003745949.tif 000004
【図４】
0003745949.tif 000005